(57)【要約】【課題】延長部が簡便且つ迅速に固定でき、組立・解体の施工性を向上させることのできる棚板支持具を提供する。【解決手段】棚板支持具９の係止爪を受け入れて、係止爪を下方へ落とし込んで係止する複数の係止孔２３が上下方向に形成された棚用支柱１００であって、筒状の本体部２５と、本体部２５に摺動自在に嵌入する延長部２７と、延長部２７の下降を規制するロック手段２００とを具備する。本体部２５及び延長部２７の係止孔２３は等ピッチで形成される。延長部２７の背面には係止孔２３と等ピッチの透孔が形成される。ロック手段２００は、本体部２５の背面に固定されるブラケットと、ブラケットに固定される横軸と、横軸に基端を回動自在に支持し先端を自重により延長部２７の透孔に進入させて延長部２７の下降を規制するロック爪とからなる。【選択図】      図１
2010082323.tif 000002
【特許請求の範囲】
【請求項１】
棚板支持具の係止爪を受け入れて、該係止爪を下方へ落とし込んで係止する複数の係止孔が上下方向に形成された棚用支柱であって、
筒状の本体部と、該本体部に摺動自在に嵌入する延長部と、該延長部の下降を規制するロック手段と、を具備し、
前記本体部及び前記延長部の前記係止孔が等ピッチで形成され、
前記延長部の背面には前記係止孔と等ピッチの透孔が形成され、
前記ロック手段が、前記本体部の背面に固定されるブラケットと、該ブラケットに固定される横軸と、該横軸に基端を回動自在に支持し先端を自重により前記延長部の透孔に進入させて前記延長部の下降を規制するロック爪と、
からなることを特徴とする棚用支柱。
【請求項２】
請求項１記載の棚用支柱であって、
前記ロック爪が、前記本体部の係止孔と前記延長部の係止孔を等ピッチで配置する位置に、前記延長部を前記本体部に対し下降規制することを特徴とする棚用支柱。
【請求項３】
請求項１又は２記載の棚用支柱であって、
前記延長部の係止孔が前記本体部の係止孔より少なくとも前記落とし込み量分下方向に長いことを特徴とする棚用支柱。
【請求項４】
請求項１又は２又は３記載の棚用支柱であって、
前記ロック手段が、前記本体部の上端に配設されたことを特徴とする棚用支柱。
【請求項５】
請求項１，２，３，４のいずれか１つに記載の棚用支柱であって、
前記ロック爪を前記延長部の透孔に進入させる方向に付勢する付勢手段が、該ロック爪と前記ブラケットに亘って設けられたことを特徴とする棚用支柱。
【発明の詳細な説明】
【技術分野】
【０００１】
本発明は、棚板支持具の係止爪を受け入れる複数の係止孔が上下方向に形成された棚用支柱に関し、特に伸縮構造における使用不能な係止孔をなくす改良技術に関する。
【背景技術】
【０００２】
従来、複数枚の棚板が多段状に取り付けられ、陳列商品の高さに合わせて各棚板が上下方向に付け替え自在となる商品陳列棚が知られている（例えば、特許文献１，２参照）。図９（ａ）に示すように、この種の商品陳列棚１は、背面板３の左右に一対の棚用支柱５，５が起立して設けられ、その表面に、棚板７を支持するための棚板支持具９を係止する複数の係止孔１１を上下方向に設けている。
【０００３】
ところで、商品陳列棚１は、背面板３，棚板７、棚板支持具９、ベース部材１３などの各構成部材が、同種部材ごとに個別梱包され、現場にてそれぞれを組み合わせる現場組立式の形態を採るのが一般的である。このため、運搬性を考慮して部材は分解可能な構造にて製作されることがある。例えば、これら部材中で最も長尺となる棚用支柱５は、通常、複数に分割され、異なる長さ５ａ，５ｂ，５ｃのものを適宜接続して所望高さを得る。
【０００４】
従来、この棚用支柱５の接続部分（図９（ａ）中のＡ部分）は、図９（ｂ）に示すように、例えば上段側の棚用支柱５ｂの下端からジョイント部１５を突出し、このジョイント部１５を下段の棚用支柱５ａの上部開口１７に嵌入することで行われていた。
【特許文献１】特開平７−２４６１３９号公報
【特許文献２】特開２００２−１５３３６０号公報
【発明の開示】
【発明が解決しようとする課題】
【０００５】
しかしながら、上記した従来の棚用支柱５は、ジョイント部１５を突出させるため、上段棚用支柱５ｂの最下部係止孔１１ａが、内部に固定するジョイント部１５によって塞がれ、使用不能となった。また、下段棚用支柱５ａの上部係止孔１１ｂも、上方から嵌入するジョイント部１５によって塞がれ、使用不能となった。このように、各接続部を挟み隣接する上下２つの係止孔１１ａ，１１ｂが使用不能となり（図例では１つの棚用支柱で合計６箇所）、棚調整機能の自由度、すなわち棚板７の取り付け位置に制約が生じた。一方、ジョイント部１５の突出長さを、係止孔１１ａ，１１ｂに干渉しない短尺で形成すれば、接続強度の確保が困難となった。
【０００６】
これに対し、図示は省略するが、ジョイント部１５を設けずに、支柱本体部に支柱延長部を挿入し、支柱本体部の上端から支柱延長部を伸縮自在に設けた伸縮式の棚用支柱も提案されている。伸縮式の棚用支柱は、延長部を引き出すだけなので作業性が良い。ところが、引き出した延長部は本体部と固定しなければならず、その固定箇所に制約の生じる問題があった。すなわち、需要の比較的多い図９に示す壁面式の商品陳列棚では、背面を建物壁面に当て、複数台が並設されるため、背面や側面で工具を必要とした固定を行えば、工具が挿入できず、施工性が低下した。一方、支柱正面で固定を行えば、使用不能となる係止孔を増やすことになった。特に、店舗改装時の解体、再組み立てに際しては、短時間での迅速な作業が要求されるので、商品陳列棚個々が施工性の良いものであることが必須となった。
【０００７】
以上の事情から、使用不能となる係止孔を減らすことができ、工具を使用せずに簡便且つ迅速に延長部が固定できる伸縮構造による棚用支柱の開発要請があった。
【０００８】
本発明は上記状況に鑑みてなされたもので、その第一の目的は、延長部が簡便且つ迅速に固定できる棚用支柱を提供し、もって、組立・解体施工性の向上を図ることを目的とする。その第二の目的は、伸縮構造において使用不能となる係止孔を減らせる棚用支柱を提供し、もって、棚調整機能の自由度向上を図ることを目的とする。
【課題を解決するための手段】
【０００９】
次に、上記の課題を解決するための手段を、実施の形態に対応する図面を参照して説明する。
本発明の請求項１記載の棚用支柱は、棚板支持具９の係止爪３３ａ，３３ｂを受け入れて、該係止爪３３ａ，３３ｂを下方へ落とし込んで係止する複数の係止孔２３が上下方向に形成された棚用支柱１００であって、
筒状の本体部２５と、該本体部２５に摺動自在に嵌入する延長部２７と、該延長部２７の下降を規制するロック手段２００と、を具備し、
前記本体部２５及び前記延長部２７の前記係止孔２３が等ピッチＰで形成され、
前記延長部２７の背面５１ｂには前記係止孔２３と等ピッチＰの透孔５３が形成され、
前記ロック手段２００が、前記本体部２５の背面５１ａに固定されるブラケット５５と、該ブラケット５５に固定される横軸５７と、該横軸５７に基端５９ａを回動自在に支持し先端５９ｂを自重により前記延長部２７の透孔５３に進入させて前記延長部２７の下降を規制するロック爪５９と、
からなることを特徴とする。
【００１０】
この棚用支柱では、延長部２７が引き出されると、ロック爪５９が透孔５３に順次進入し、延長部２７の引き出し操作を辞め、延長部２７より手が放されると延長部２７が自重により下降しようとするが、透孔５３に進入したロック爪５９によって下降が阻止される。
【００１１】
請求項２記載の棚用支柱は、請求項１記載の棚用支柱であって、
前記ロック爪５９が、前記本体部２５の係止孔２３ａと前記延長部２７の係止孔２３ｂを等ピッチＰで配置する位置に、前記延長部２７を前記本体部２５に対し下降規制することを特徴とする。
【００１２】
この棚用支柱では、ロック爪５９が任意の透孔５３に進入しても、本体部２５と延長部２７の係止孔２３ａ，２３ｂが常に等ピッチＰで接続される。
【００１３】
請求項３記載の棚用支柱は、請求項１又は２記載の棚用支柱であって、
前記延長部２７の係止孔２３ｂが前記本体部２５の係止孔２３ａより少なくとも前記落とし込み量Ｋ分下方向に長いことを特徴とする。
【００１４】
この棚用支柱では、延長部２７を伸長させた本体部上端における最上位置の係止孔２３ａにおいて、本体部２５の係止孔２３ａと延長部２７の係止孔２３ｂが上端３９ａ，３９ｂを一致させると、延長部２７の係止孔２３ｂは、下端４３ｂが、本体部２５の係止孔２３ａの下端４３ａよりも落とし込み量Ｋ分下方に配置される。つまり、本体部２５の係止孔２３ａに挿入された係止爪２３の干渉回避代（逃げ代）が形成される。これにより、棚板支持具９を挿入して落とし込むことが可能となる。
【００１５】
請求項４記載の棚用支柱は、請求項１又は２又は３記載の棚用支柱であって、
前記ロック手段２００が、前記本体部２５の上端に配設されたことを特徴とする。
【００１６】
この棚用支柱では、ロック手段２００が本体部２５の上下方向中途部分に設けられる場合に比べ、延長部２７の引き出し可能長が長くなる。
【００１７】
請求項５記載の棚用支柱は、請求項１，２，３，４のいずれか１つに記載の棚用支柱であって、
前記ロック爪５９を前記延長部２７の透孔５３に進入させる方向に付勢する付勢手段が、該ロック爪５９と前記ブラケット５５に亘って設けられたことを特徴とする。
【００１８】
この棚用支柱では、自重に加え、付勢手段により強制的にロック爪５９が透孔５３へ進入・衝接される。また、進入時、衝接によるクリック音が生じる。
【発明の効果】
【００１９】
本発明に係る請求項１記載の棚用支柱によれば、延長部の背面に係止孔と等ピッチとなる透孔を設け、ロック手段を、本体部背面に固定されるブラケットと、ブラケットに固定される横軸と、横軸に支持され先端を自重で延長部の透孔に進入させて延長部の下降を規制するロック爪とで構成したので、延長部を引き出せば、透孔に順次ロック爪が進入し、手を離せば、自重により下降しようとする延長部が、透孔に進入したロック爪によって下降阻止される。この結果、延長部が簡便且つ迅速に任意な引き出し長さで固定でき、組立・解体の施工性を向上させることができる。
【００２０】
請求項２記載の棚用支柱によれば、ロック爪が任意の透孔に進入しても、本体部と延長部の係止孔を常に等ピッチで連続させることができる。
【００２１】
請求項３記載の棚用支柱によれば、延長部の係止孔が、本体部の係止孔より少なくとも落とし込み量分下方向に長いので、延長部を伸長させた本体部上端における最上位置の係止孔にも棚板支持具を挿入して落とし込むことができ、伸縮構造の支柱において使用不能な係止孔を減らし、棚調整機能の自由度を向上させることができる。
【００２２】
請求項４記載の棚用支柱によれば、ロック手段を、本体部の上端に配設したので、ロック手段が本体部の上下方向中途部分に設けられる場合に比べ、延長部の引き出し可能な長さを長くできる。つまり、延長部を最大限の引き出し状態でロックできる。
【００２３】
請求項５記載の棚用支柱によれば、ロック爪を透孔進入方向に付勢する付勢手段を、ロック爪とブラケットに亘って設けたので、自重に加え、付勢手段により強制的にロック爪を透孔へ進入・衝接させることができ、ロック爪の進入不良、すなわち、ロック不良をなくし、迅速且つ信頼性の高いロック動作が可能となる。また、進入時、クリック音を生じさせ、快適な操作感を得ることができる。
【発明を実施するための最良の形態】
【００２４】
以下、本発明に係る棚用支柱の好適な実施の形態について図面を参照して詳細に説明する。
図１は本発明に係る棚用支柱の用いられた商品陳列棚の斜視図である。なお、図９に示した部材と同一の部材には同一の符号を付す。
本実施の形態による棚用支柱１００は、例えば商品陳列棚に好適に用いることができる。商品陳列棚２１の背面板３の左右に棚用支柱１００，１００は起立して設けられ、その表面に、棚板７を支持するための棚板支持具９を係止する複数の係止孔２３を上下方向に設けている。
【００２５】
棚用支柱１００は、筒状の本体部２５と、この本体部２５に摺動自在に嵌入する延長部２７とを有する。本体部２５と延長部２７の長手方向に直交する方向の断面形状は、相似する矩形状に形成されている。係止孔２３は、本体部２５と延長部２７の正面、棚板支持具９が取り付けられる面に形成されている。断面を矩形状とすれば、任意相対位置で回転してしまう断面円形の支柱に比べ、平行な一対の辺部同士の何れかを合わせる少ない組合せで、係止孔２３同士を容易に同一向きに揃えることができる。また、本体部２５と延長部２７を、凹凸形状等の回転規制手段を別途に設けることなく、簡単な構造で回転規制できる。
【００２６】
図２は図１に示した棚用支柱及び棚板支持具の拡大斜視図である。
係止孔２３は、本体部２５に形成される本体部係止孔２３ａと、延長部２７に形成される延長部係止孔２３ｂとから構成される。本体部２５と延長部２７は、本体部係止孔２３ａと延長部係止孔２３ｂが略一致するようにして後述のロック手段２００で摺動が規制される。より正確には本体部係止孔２３ａと延長部係止孔２３ｂは、孔上縁３９ａ，３９ｂ（図６参照）が一致する。この状態で棚板支持具９は、本体部係止孔２３ａに係止可能となる。
【００２７】
図３は嵌入状態を（ａ）、棚板支持具、本体部、延長部の分解状態を（ｂ）で表した斜視図である。
棚板支持具９は、棚板７の裏面左右に設けられた不図示の係止部に係止する前後一対の爪２９ａ，２９ｂを有する腕部２９と、この腕部２９の基端部３１に設けられ係止孔２３に係止する上下一対の係止爪３３ａ，３３ｂとを備える。本実施の形態では一対の係止爪３３ａ，３３ｂを備えるが、棚板支持具は、１つの係止爪３３ａのみを備えるもの、或いは３つ以上など複数備えるものであってもよい。係止爪３３ａ，３３ｂには、基端部３１との境に、下から上へ切り込まれた落とし込み溝３５が設けられている。なお、本実施の形態では、腕部２９の基端部３１に、下方向に延出する支持部３４が形成されており、この支持部３４は、係止爪３３ｂが係止される本体部係止孔２３ａ，延長部係止孔２３ｂの下方に位置する本体部係止孔２３ａ，延長部係止孔２３ｂを覆う位置とされ、腕部２９を支える。この支持部３４は、真直に下方向へ延出形成されてもよく、中途で屈曲する形状としてもよい。
【００２８】
図４は棚板支持具の取り付けられた本体部２５及び延長部２７の縦断面図である。
棚板支持具９は、本体部係止孔２３ａ、及び延長部係止孔２３ｂの双方いずれにも係止可能となっている。棚板支持具９は、係止爪３３ａ，３３ｂを、例えば本体部係止孔２３ａに基端部３１が当接するまで挿入した後、下側へ落とし込むことで、落とし込み溝３５に、本体部係止孔２３ａ，２３ａ同士間の係止部３７ａを下方より受け入れて本体部２５に固定される。なお、延長部２７の係止部３７ｂは、後述するように、係止部３７ａよりも上下の長さが短い。
【００２９】
図５は本体部の係止孔を（ａ）、延長部の係止孔を（ｂ）で表した正面図である。
本体部係止孔２３ａと延長部係止孔２３ｂは、等ピッチＰで形成されている。本体部係止孔２３ａの上下長Ｈａは、係止爪３３ａ，３３ｂの上下長ｈ（図４参照）よりも長い。つまり、挿入を容易にする分長い。延長部係止孔２３ｂの上下長Ｈｂは、本体部係止孔２３ａの上下長Ｈａよりも長い（Ｈａ＜Ｈｂ）。本体部２５の係止部３７ａの上下長Ｄａは、Ｐ−Ｈａとなる（Ｄａ＝Ｐ−Ｈａ）。延長部２７の係止部３７ｂの上下長Ｄｂは、Ｐ−Ｈｂとなる（Ｄｂ＝Ｐ−Ｈｂ）。ここで、Ｈａ＜Ｈｂなので、Ｄａ＞Ｄｂとなる。
【００３０】
図６は本体部と延長部の重なり部における棚板支持具の係止状態を表す縦断面図である。
延長部係止孔２３ｂは、本体部係止孔２３ａより少なくとも落とし込み溝３５による落とし込み量Ｋ分上下方向に長い（Ｈｂ−Ｈａ≧Ｋ）。本体部２５と延長部２７は、本体部係止孔２３ａの上縁３９ａと、延長部係止孔２３ｂの上縁３９ｂが一致する位置で、ロック手段２００にて延長方向の摺動が規制される。
【００３１】
また、図５に示すように、延長部係止孔２３ｂの横幅Ｗｂは、本体部係止孔２３ａの横幅Ｗａより大きく形成されている。これにより、延長部２７が嵌入している本体部２５において、本体部係止孔２３ａの背部に配置される延長部係止孔２３ｂが、本体部係止孔２３ａより外側で重なる。つまり、本体部係止孔２３ａに挿入する係止爪３３ａ，３３ｂを、延長部係止孔２３ｂに干渉し難くして、挿入作業性を良好にしている。
【００３２】
上記の構成を有する棚用支柱１００では、延長部２７を伸長させた本体部２５の上端における最上位置の係止孔２３ａにおいて、本体部係止孔２３ａと延長部係止孔２３ｂが上端３９ａ，３９ｂを一致させると、図６に示すように、延長部係止孔２３ｂは、下端４３ｂが、本体部係止孔２３ａの下端４３ａよりも落とし込み量Ｋ分下方に配置される。つまり、本体部係止孔２３ａに挿入された係止爪３３ａ，３３ｂの干渉回避代（逃げ代＝Ｋ）が形成される。これにより、棚板支持具９を挿入して落とし込むことが可能となる。
【００３３】
上記構成によれば、棚板支持具９の係止爪３３ａ，３３ｂを下方へ落とし込んで係止する係止孔２３を上下方向に形成した棚用支柱１００であって、本体部２５と、この本体部２５に摺動自在な延長部２７とを具備し、本体部２５及び延長部２７の係止孔２３ａ，２３ｂは等ピッチＰで形成し、延長部２７の係止孔２３ｂを、本体部２５の係止孔２３ａより少なくとも落とし込み量Ｋ分上下方向に長くしたので、延長部２７を伸長させた本体部上端における最上位置の係止孔２３ａ，或いは、本体部２５から伸長した延長部２７における最下位置の係止孔２３ｂにも棚板支持具９を挿入して落とし込むことができ、伸縮構造の支柱において使用不能な係止孔２３を減らし、棚調整機能の自由度を向上させることができる。
【００３４】
図７はロック手段の設けられた本体部を延長部と共に表した背面斜視図である。
本体部２５の背面５１ａには延長部２７の下降を規制するロック手段２００が設けられている。延長部２７の背面５１ｂには係止孔２３と等ピッチＰの透孔５３が形成されている。
【００３５】
ロック手段２００は、本体部２５の背面５１ａに固定されるブラケット５５と、ブラケット５５に固定される横軸５７と、横軸５７に基端５９ａを回動自在に支持し先端５９ｂを自重により透孔５３に進入させて延長部２７の下降を規制するロック爪５９とを備えている。
【００３６】
図８はロック爪の透孔進入直前の本体部と延長部の重なり部を表す縦断面図である。
ブラケット５５は、コ字状金具からなり、内方に組み合わせた同じくコ字状金具６１とで角筒形状を構成し、重ね合わせた側板に横軸５７であるネジ等を貫通してロック爪５９を支持する。基端５９ａが横軸５７に支持されたロック爪５９は、重心が先端５９ｂ側となり、その結果、先端５９ｂを延長部２７の背面５１ｂ側へ倒す図８のモーメントＭを生じさせる。
【００３７】
先端５９ｂに対し、透孔５３が相対移動されて一致すれば、先端５９ｂは透孔５３内に落下して進入する。したがって、延長部２７が引き出されると、ロック爪５９が透孔５３に順次進入し、手が放されると延長部２７が自重により下降しようとするが、図６，図７に示すように、透孔５３に進入したロック爪５９によって下降が阻止される。
【００３８】
ロック手段２００は、ロック爪５９が、本体部係止孔２３ａと延長部係止孔２３ｂを等ピッチで配置する位置に、延長部２７を本体部２５に対し下降規制する。すなわち、ロック爪５９が透孔５３にロックした状態で、本体部２５と延長部２７は図６，図７に示すように、係止孔２３ａ，２３ｂが等ピッチＰで接続される。ロック爪５９が任意の透孔５３に進入しても、本体部２５と延長部２７の係止孔２３を常に等ピッチＰで連続させることができる。
【００３９】
ロック手段２００は、本体部２５の上端に配設されることが好ましい。ロック手段２００が本体部２５の上下方向中途部分に設けられる場合に比べ、延長部２７の引き出し可能な長さを長くできる。換言すれば、延長部２７を最大限の引き出し状態でロックすることができる。
【００４０】
なお、ロック手段２００には、ロック爪５９を透孔５３に進入させる方向に付勢する付勢手段（不図示）を、ロック爪５９とブラケット５５に亘って設けてもよい。この他、付勢手段は、横軸５７に外挿され、一端をロック爪５９、他端をブラケット５５に支持させたツル巻きバネであってもよい。これにより、自重に加え、付勢手段により強制的にロック爪５９を透孔５３へ進入・衝接させることができ、ロック爪５９の進入不良、すなわち、ロック不良をなくし、迅速且つ信頼性の高いロック動作が可能となる。また、進入時、クリック音を生じさせ、快適な操作感が得られるようにもなる。
【００４１】
上記構成によれば、延長部２７の背面５１ｂに係止孔２３と等ピッチＰとなる透孔５３を設け、ロック手段２００を、本体部背面５１ａに固定したので、延長部２７を引き出せば、透孔５３に順次ロック爪５９が進入し、手を離せば、自重により下降しようとする延長部２７が、透孔５３に進入したロック爪５９によって下降阻止される。この結果、工具を用いずに、延長部２７を簡便且つ迅速に任意な引き出し長さで固定でき、組立・解体の施工性を向上させることができる。
【００４２】
なお、建物壁面に商品陳列棚２１を設置した後において、延長部２７の伸縮長を変える場合には、一旦延長部２７を引き出す。すると、図８に示すように、ロック爪５９の先端５９ｂが透孔５３の下縁によって押し上げられ、透孔５３から離脱される。この状態で、ロック爪５９を保持することで、延長部２７の下降が可能となる。商品陳列棚２１上方からロック爪５９が手指で届かない場合には、フック棒を使用したり、ロック手段２００の近傍となる背面板３に、点検口を設けたりすることで、前面側からの下降を可能にすることができる。
【００４３】
したがって、本実施の形態による棚用支柱１００によれば、使用不能となる係止孔２３を減らすことができ、しかも、工具を使用せずに簡便且つ迅速に延長部２７を任意の引き出し長さで固定することができる。
【図面の簡単な説明】
【００４４】
【図１】本発明に係る棚用支柱の用いられた商品陳列棚の斜視図である。
【図２】図１に示した棚用支柱及び棚板支持具の拡大斜視図である。
【図３】嵌入状態を（ａ）、棚板支持具、本体部、延長部の分解状態を（ｂ）で表した斜視図である。
【図４】棚板支持具の取り付けられた本体部及び延長部の縦断面図である。
【図５】本体部の係止孔を（ａ）、延長部の係止孔を（ｂ）で表した正面図である。
【図６】本体部と延長部の重なり部における棚板支持具の係止状態を表す縦断面図である。
【図７】ロック手段の設けられた本体部を延長部と共に表した背面斜視図である。
【図８】ロック爪の透孔進入直前の本体部と延長部の重なり部を表す縦断面図である。
【図９】従来の商品陳列棚の全体を（ａ）、棚用支柱の分解状態を（ｂ）で表した斜視図である。
【符号の説明】
【００４５】
９…棚板支持具
３３ａ，３３ｂ…係止爪
２３，２３ａ，２３ｂ…係止孔
２５…本体部
２７…延長部
５１ａ…本体部の背面
５１ｂ…延長部の背面
５３…透孔
５５…ブラケット
５７…横軸
５９…ロック爪
５９ａ…基端
５９ｂ…先端
１００…棚用支柱
２００…ロック手段
Ｋ…落とし込み量
Ｐ…ピッチ
【図１】
2010082323.tif 000003
【図２】
2010082323.tif 000004
【図３】
2010082323.tif 000005
【図４】
2010082323.tif 000006
【図５】
2010082323.tif 000007
【図６】
2010082323.tif 000008
【図７】
2010082323.tif 000009
【図８】
2010082323.tif 000010
【図９】
2010082323.tif 000011